(57)【要約】【課題】灯具の首振角を変えても光の蹴られを防止でき、出射光の無駄を軽減して効率的な照射ができる照明器具を提供する。【解決手段】照明器具１０において、天井１１に取り付けられ下方に開口部１２を有する灯具１３と、灯具１３の鉛直断面に直交する支軸１５と、灯具１３の内側に設けられ鉛直断面における形状が逆御碗形状に形成され碗状内面１９に沿うＬＥＤ１８からの出射光が開口部１２で交差し外側同士の照明光が所定範囲の照射角度α１を形成するとともに外側の照明光が開口部１２の開口縁２０に干渉しない回転角度で支軸１５に回転自在に支持されるＬＥＤモジュール１６と、を設けた。また、照明器具１０は、支軸１５が、灯具１３の鉛直断面における開口部１２を水平線分１７としたときにこの水平線分１７の二等分点に水平方向で直交するものであることが好ましい。【選択図】図１
2014239077.tif 000002
【特許請求の範囲】
【請求項１】
天井に取り付けられ下方に開口部を有する灯具と、
前記灯具の鉛直断面に直交する支軸と、
前記灯具の内側に設けられ前記鉛直断面における形状が逆御碗形状に形成され碗状内面に沿うＬＥＤからの出射光が前記開口部で交差し外側同士の該照明光が所定範囲の照射角度を形成するとともに該外側の照明光が前記開口部の開口縁に干渉しない回転角度で前記支軸に回転自在に支持されるＬＥＤモジュールと、を具備する照明器具。
【請求項２】
天井に取り付けられ下方に開口部を有する灯具と、
前記灯具の鉛直断面に直交する支軸と、
前記灯具の内側に設けられ前記鉛直断面における形状が逆Ｖ字形状に形成されＶ字状内面に沿うＬＥＤからの出射光が前記開口部で交差し外側同士の該照明光が所定範囲の照射角度を形成するとともに該外側の照明光が前記開口部の開口縁に干渉しない回転角度で前記支軸に回転自在に支持されるＬＥＤモジュールと、を具備する照明器具。
【請求項３】
請求項１または請求項２記載の照明器具において、
前記支軸が、前記灯具の鉛直断面における前記開口部を水平線分としたときに該水平線分の二等分点に水平方向で直交する照明器具。
【発明の詳細な説明】
【技術分野】
【０００１】
本発明は、照射方向が変更可能な照明器具に関する。
【背景技術】
【０００２】
従来から天井埋込タイプの照明器具で直下方向だけでなく鉛直面を照射するために、首振機構を有したダウンライトが知られている。例えば特許文献１に記載の図５に示す照明器具１００は、筒型の本体枠１０１の内部に灯具１０２が収容されており、灯具１０２が灯具中心を傾斜自在としている。灯具１０２の内部には、ランプおよび反射板が収容されており、灯具１０２を本体枠１０１に対して不図示の首振機構で水平軸周りに回転させることで、照射方向が調整自在となる。
【先行技術文献】
【特許文献】
【０００３】
【特許文献１】実開昭６３−１０１４１１号公報（第１図）
【発明の概要】
【発明が解決しようとする課題】
【０００４】
上記の照明器具１００は、首振機構で回転させる程、自身の本体枠１０１で光が遮られ（所謂、蹴られ）るため、照射物に対して性能通りの明るさが確保できないばかりか、電力の浪費にもつながっていた。
【０００５】
本発明は上記状況に鑑みてなされたもので、その目的は、灯具の首振角を変えても光の蹴られを防止でき、出射光の無駄を軽減して効率的な照射ができる照明器具を提供することにある。
【課題を解決するための手段】
【０００６】
本発明に係る照明器具は、天井に取り付けられ下方に開口部を有する灯具と、前記灯具の鉛直断面に直交する支軸と、前記灯具の内側に設けられ前記鉛直断面における形状が逆御碗形状に形成され碗状内面に沿うＬＥＤからの出射光が前記開口部で交差し外側同士の該照明光が所定範囲の照射角度を形成するとともに該外側の照明光が前記開口部の開口縁に干渉しない回転角度で前記支軸に回転自在に支持されるＬＥＤモジュールと、を具備するものである。
【０００７】
また、本発明は、天井に取り付けられ下方に開口部を有する灯具と、前記灯具の鉛直断面に直交する支軸と、前記灯具の内側に設けられ前記鉛直断面における形状が逆Ｖ字形状に形成されＶ字状内面に沿うＬＥＤからの出射光が前記開口部で交差し外側同士の該照明光が所定範囲の照射角度を形成するとともに該外側の照明光が前記開口部の開口縁に干渉しない回転角度で前記支軸に回転自在に支持されるＬＥＤモジュールと、を具備するものである。
【０００８】
また、本発明は、前記支軸が、前記灯具の鉛直断面における前記開口部を水平線分としたときに該水平線分の二等分点に水平方向で直交するものである。
【発明の効果】
【０００９】
本発明に係る照明器具によれば、灯具の首振角を変えても光の蹴られを防止でき、出射光の無駄を軽減して効率的な照射ができる。
【図面の簡単な説明】
【００１０】
【図１】本発明に係る照明器具の灯具を切り欠いた側面図
【図２】図１に示したＬＥＤモジュールが回転された側面図
【図３】他の実施形態に係る照明器具の灯具を切り欠いた側面図
【図４】図３に示したＬＥＤモジュールが回転された側面図
【図５】（Ａ）は灯具が傾斜自在な従来の照明器具の側面図、（Ｂ）はその傾斜時の側面図
【発明を実施するための形態】
【００１１】
以下、本発明の実施形態を図面を参照して説明する。
図１は本発明に係る照明器具の灯具を切り欠いた側面図、図２は図１に示したＬＥＤモジュールが回転された側面図である。
照明器具１０は、天井１１に取り付けられ、下方に開口部１２の形成された灯具１３を有する。灯具１３は、本実施形態において下方が拡径される円筒形に形成されるが、四角形であってもよい。開口部１２の外周には不図示の鍔部が形成され天井１１に形成した取付穴１４の周囲が目隠しされる。灯具１３の外周には先端が自由端となった不図示の取付バネが円周方向に等間隔で複数突出して設けられ、取付バネは鍔部とで取付穴１４の周縁を挟持して照明器具１０を天井１１に保持する。
【００１２】
灯具１３の内側には支軸１５と、ＬＥＤモジュール１６が設けられる。支軸１５は、ＬＥＤモジュール１６を回転自在に支持する。支軸１５は、灯具１３の鉛直断面に直交する。ここで、鉛直断面は、図１の紙面と同一平面とする。従って、支軸１５は、図１の紙面に垂直な方向となる。支軸１５は、例えば、ＬＥＤモジュール１６に向かって図１の紙面の表裏から突出する。ＬＥＤモジュール１６にはこの支軸１５に外挿される不図示の軸受凹部が固定される。ＬＥＤモジュール１６は、この軸受凹部を介して支軸１５に回転自在に支持される。
【００１３】
本実施形態において、支軸１５は、灯具１３の鉛直断面における開口部１２を水平線分１７としたときに水平線分１７を二等分する点（二等分点）に位置する。これにより、照明範囲を変更するためのＬＥＤモジュール１６における回転軌跡の面積が小さくなり、灯具１３のコンパクト化が可能となっている。これに対し、例えば、支軸１５がＬＥＤモジュール１６の上側に存在した場合には、照明範囲を変更するためのＬＥＤモジュール１６における回転軌跡の面積が大きくなってしまう。
【００１４】
なお、ＬＥＤモジュール１６には、ＬＥＤ１８に点灯のための電力を供給する不図示の点灯電源装置が取り付けられてもよい。点灯電源装置は、電源端子台を有し、外部の商用電源が電気的に接続される。また、ＬＥＤモジュール１６の外周には、ＬＥＤ１８の熱を放熱するための不図示の放熱フインが設けられてもよい。
【００１５】
本実施形態において、ＬＥＤモジュール１６は、鉛直断面における形状が逆御碗形状に形成される。ＬＥＤモジュール１６には、碗状内面１９に沿って複数のＬＥＤ１８が並べられている。ＬＥＤ１８は、不図示の実装基板に実装される。実装基板は、熱伝導シートを介してモジュール本体に固定される。熱伝導シートを介して実装基板からモジュール本体に伝わった熱は放熱フインから放熱される。熱伝導シートは、シリカやアルミナ等のフィラーからなる充填材を含有し、かつ、加熱時に低粘度化する樹脂シートからなる。実装基板の表面には絶縁層であるサブマウントを介してＬＥＤチップが設けられる。ＬＥＤチップとしては、青色光（λ≒４００〜４６０ｎｍ）を放射するＧａＮ系青色半導体発光素子が好適に用いられる。ＬＥＤチップは、サブマウントや実装基板に設けられた回路部に電極がワイヤにて接続される。ＬＥＤチップ、ワイヤはシリコーン樹脂からなる薄型レジンにより覆われる。薄型レジンは、空気層を介してさらに蛍光体キャップによって覆われる。
【００１６】
例えばＬＥＤ１８が白色仕様の場合、蛍光体キャップは、緑色蛍光体、黄色蛍光体、赤色蛍光体を透光性シリコーン樹脂に分散した後、硬化させて形成されている。この蛍光体キャップによって、ＬＥＤチップからの一部の青色光が、緑色光（λ≒５４０〜５６５ｎｍ）、黄色光（λ≒５６０〜５８０ｎｍ）、赤色光（λ≒６８０〜７２０ｎｍ）に変換され、これらの光が混ざり合って白色光が生成される。
【００１７】
ＬＥＤモジュール１６からの出射光は、ＬＥＤ１８が碗状内面１９に沿って配置されていることで、開口部１２で交差し、外側同士の照明光が所定範囲の照射角度α１を形成するようになされている。また、ＬＥＤモジュール１６は、不図示のストッパによって支軸１５を中心とした回転範囲が所定の回転角度で規制される。この回転角度は、図２に示すように、外側の照明光が開口部１２の開口縁２０に干渉しない回転角度で設定されている。
【００１８】
次に、上記構成を有する照明器具１０の作用を説明する。
上記構成の照明器具１０では、ＬＥＤ１８が駆動されると、碗状内面１９の例えば右側のＬＥＤ１８からの出射光が開口部１２を通過して左側の照射対象に照射され、左側のＬＥＤ１８からの出射光が開口部１２を通過して右側の照射対象に照射される。つまり、ＬＥＤモジュール１６の左右からの出射光が交差することになる。これにより、灯具１３の左右それぞれにおいて、所定範囲の照射角度を形成する外側の照明光と、開口部１２の開口縁２０との間に、照射角度を減じた余裕角θ１（図１参照）が確保され、図２に示すように、蹴られを生じさせずにＬＥＤモジュール１６を回転させることが可能となる。
【００１９】
これに対し、例えばＬＥＤモジュール１６の碗状内面１９の両端を結ぶ平面（水平線分１７と平行な面）に複数のＬＥＤ１８を並べた比較例に係る構成では、右側のＬＥＤ１８からの出射光が右側の照射対象に照射され、左側のＬＥＤ１８からの出射光が左側の照射対象に照射される。このため、少しの回転角度でさえも左右それぞれの外側の照明光が開口部１２の開口縁２０に即座に干渉してしまい蹴られが生じることになる。
【００２０】
次に、本発明に係る他の実施形態による照明器具２１を説明する。
図３は他の実施形態に係る照明器具２１の灯具を切り欠いた側面図、図４は図３に示したＬＥＤモジュール２２が回転された側面図である。
本実施形態に係る照明器具２１は、天井１１に取り付けられ下方に開口部１２を有する灯具１３と、灯具１３の鉛直断面に直交する支軸１５と、灯具１３の内側に設けられ鉛直断面における形状が逆Ｖ字形状に形成されＶ字状内面２３に沿うＬＥＤ１８からの出射光が開口部１２で交差し外側同士の照明光が所定範囲の照射角度α２を形成するとともに外側の照明光が開口部１２の開口縁２０に干渉しない回転角度で支軸１５に回転自在に支持されるＬＥＤモジュール２２と、を備えてなる。上記した実施形態とはＬＥＤモジュール２２のＶ字状内面２３が異なる。他の構成は上記の照明器具１０と同様である。
【００２１】
ＬＥＤモジュール２２は、モジュール本体２４が二つの平板部２５からなる。平板部２５は、挟角を挟んでＶ字状となる。それぞれの平板部２５には複数のＬＥＤ１８がＶ字状内面２３に沿って並べられている。したがって、一枚の平板からは所定の照射角度の出射光が照射され、左右それぞれの平板部２５からの照明光が、灯具１３の開口部１２で交差することになる。
【００２２】
次に、上記構成を有する照明器具２１の作用を説明する。
この照明器具２１においても、ＬＥＤ１８が駆動されると、Ｖ字状内面２３の例えば右側のＬＥＤ１８からの出射光が開口部１２を通過して左側の照射対象に照射され、左側のＬＥＤ１８からの出射光が開口部１２を通過して右側の照射対象に照射される。従って、ＬＥＤモジュール２２の左右からの出射光が交差することになる。これにより、灯具１３の左右それぞれにおいて、所定範囲の照射角度を形成する外側の照明光と、開口部１２の開口縁２０との間に、照射角度を減じた余裕角θ２が確保され、図４に示すように、蹴られを生じさせずにＬＥＤモジュール２２を回転させることが可能となる。
【００２３】
従って、本実施形態に係る照明器具１０、照明器具２１によれば、灯具１３の首振角を変えても光の蹴られを防止できる。この結果、照射方向を変更可能にしながら、出射光の無駄を軽減して効率的な照明光の照射が可能となる。
【００２４】
なお、上記の実施形態では、支軸１５が具体的に設けられる構成を例に説明したが、本発明に係る照明器具は、支軸１５を省略してもよい。この場合、ＬＥＤモジュール１６またはＬＥＤモジュール２２が、支軸１５の位置を回転中心として円周方向に移動されるガイド手段を設ければ、上記と同様に動作させることができる。
【符号の説明】
【００２５】
１０，２１  照明器具
１１  天井
１２  開口部
１３  灯具
１５  支軸
１６  ＬＥＤモジュール
１７  水平線分
１８  ＬＥＤ
１９  碗状内面
２０  開口縁
２３  Ｖ字状内面
【図１】
2014239077.tif 000003
【図２】
2014239077.tif 000004
【図３】
2014239077.tif 000005
【図４】
2014239077.tif 000006
【図５】
2014239077.tif 000007